(57)【要約】【課題】嵌合柄の中空部内をレンチ杆が伸縮移動すると、レンチ杆が中空部の内壁縁に当接されて固定されるレンチ杆体の無段伸縮構造を提供する。【解決手段】レンチ杆体の無段伸縮構造は、レンチ本体１０及びハンドル２０を備える。レンチ本体１０は、レンチ杆１１を有する。レンチ杆１１は、前端部にレンチヘッド１２が接続され、後端部に環状溝１３が形成される。環状溝１３には、プラスチックリング１４が外嵌される。環状溝１３の前端部に位置するレンチ杆１１には挿入口１５が形成される。挿入口１５内には、弾性部材１６及び円柱体１７が設置される。ハンドル２０は、レンチ杆１１の後端部に嵌合される。ハンドル２０には、前端部の嵌合孔２２から内部にかけて中空部２１が穿設される。中空部２１の嵌合孔２２近傍の内壁には、環状溝２３が形成される。【選択図】図２
0003188456.tif 000002
【実用新案登録請求の範囲】
【請求項１】
レンチ本体及びハンドルを備えたレンチ杆体の無段伸縮構造であって、
前記レンチ本体はレンチ杆を有し、前記レンチ杆は、前端部にレンチヘッドが接続され、後端部に環状溝が形成され、前記環状溝にはプラスチックリングが外嵌され、前記環状溝の前端部に位置する前記レンチ杆には挿入口が形成され、前記挿入口内には弾性部材及び円柱体が設置され、
前記ハンドルは前記レンチ杆の後端部に嵌合され、前記ハンドルには前端部の嵌合孔から内部にかけて中空部が穿設され、前記中空部の前記嵌合孔近傍の内壁には環状溝が形成され、前記環状溝にはプラスチックリングが挿設され、前記環状溝の後端部の前記中空部の内壁には傾斜付溝が形成され、
前記レンチ杆が前記ハンドル内で移動して前記レンチ杆の円柱体が前記ハンドルの傾斜付溝まで移動すると、前記円柱体が弾性部材により外方へ押圧されて前記傾斜付溝に係合され、
前記レンチ杆が前記ハンドル内で移動すると、前記レンチ杆の後端部及び前記中空部の前端部の前記環状溝内の前記プラスチックリングが前記レンチ杆及び前記中空部の内壁縁に強く当接され、摩擦により固定されることを特徴とするレンチ杆体の無段伸縮構造。
【考案の詳細な説明】
【技術分野】
【０００１】
本考案は、レンチ杆体の無段伸縮構造に関し、特に、レンチ杆と嵌合柄とを係合させるプラスチックリング構造を利用し、嵌合柄の中空部内をレンチ杆が伸縮移動すると、レンチ杆が中空部の内壁縁に当接されて固定されるレンチ杆体の無段伸縮構造に関する。
【背景技術】
【０００２】
従来のレンチ杆の伸縮構造の大部分は、レンチ杆上に弾性フック球が設置され、外嵌柄の中空部壁縁に間隔をあけて形成された複数の溝部を介し、レンチ杆が伸縮移動すると弾性フック球が溝部内に係合され、レンチ杆の長さを調整して固定させることができる。しかし上述の従来の構造は、レンチ杆を伸縮させることができるが、外嵌柄内に形成する溝部を、間隔をあけて設けなければならないため、伸縮調整を無段式で行うことができず、もし多段式で調整するために溝部の数を増やす場合、製造コストが増大する。そのため、従来技術の問題点を改善するレンチ杆体の無段伸縮構造が求められていた。
【考案の概要】
【考案が解決しようとする課題】
【０００３】
本考案の目的は、レンチ杆と嵌合柄とを係合させるプラスチックリング構造を利用し、嵌合柄の中空部をレンチ杆が伸縮移動すると、レンチ杆が中空部の内壁縁に当接されて固定されるレンチ杆体の無段伸縮構造を提供することにある。
本考案のもう一つの目的は、レンチ杆上に設けた伸縮可能な円柱体構造を介し、ハンドルの中空部内壁上に設けた傾斜付溝を組み合わせ、レンチ本体を外方へ引っ張って伸ばす際、レンチ杆の円柱体が傾斜付溝へ移動して外方へ押圧されて傾斜付溝に係合され、レンチ杆を最大限伸ばすことができるレンチ杆体の無段伸縮構造を提供することにある。
【課題を解決するための手段】
【０００４】
上記課題を解決するために、本考案の第１の形態によれば、レンチ本体及びハンドルを備えたレンチ杆体の無段伸縮構造であって、前記レンチ本体は、レンチ杆を有し、前記レンチ杆は、前端部にレンチヘッドが接続され、後端部に環状溝が形成され、前記環状溝には、プラスチックリングが外嵌され、前記環状溝の前端部に位置する前記レンチ杆には挿入口が形成され、前記挿入口内には、弾性部材及び円柱体が設置され、前記ハンドルは、前記レンチ杆の後端部に嵌合され、前記ハンドルには、前端部の嵌合孔から内部にかけて中空部が穿設され、前記中空部の前記嵌合孔近傍の内壁には、環状溝が形成され、前記環状溝には、プラスチックリングが挿設され、前記環状溝の後端部の前記中空部の内壁には、傾斜付溝が形成され、前記レンチ杆が前記ハンドル内で移動して前記レンチ杆の円柱体が前記ハンドルの傾斜付溝まで移動すると、前記円柱体が弾性部材により外方へ押圧されて前記傾斜付溝に係合され、前記レンチ杆が前記ハンドル内で移動すると、前記レンチ杆の後端部及び前記中空部の前端部の前記環状溝内の前記プラスチックリングが前記レンチ杆及び前記中空部の内壁縁に強く当接され、摩擦により固定されることを特徴とするレンチ杆体の無段伸縮構造が提供される。
【図面の簡単な説明】
【０００５】
【図１】図１は、本考案の一実施形態に係るレンチ杆体の無段伸縮構造を示す斜視図である。
【図２】図２は、本考案の一実施形態に係るレンチ杆体の無段伸縮構造を示す分解斜視図である。
【図３】図３は、本考案の一実施形態に係るレンチ杆体の無段伸縮構造を伸張するときの状態を示す断面図である。
【図４】図４は、本考案の一実施形態に係るレンチ杆体の無段伸縮構造を収縮したときの状態を示す斜視図である。
【図５】図５は、本考案の一実施形態に係るレンチ杆体の無段伸縮構造を収縮するときの状態を示す断面図である。
【考案を実施するための形態】
【０００６】
以下、本考案の実施形態について図に基づいて説明する。なお、これによって本考案が限定されるものではない。
【０００７】
図１〜図３を参照する。図１〜図３に示すように、本考案の一実施形態に係るレンチ杆体の無段伸縮構造のレンチ本体１０は、レンチ杆１１を有する。レンチ杆１１は、前端部にレンチヘッド１２が接続され、後端部に環状溝１３が形成される。環状溝１３には、プラスチックリング１４が外嵌され、環状溝１３の前端部に位置するレンチ杆１１には挿入口１５が形成される。挿入口１５内には、弾性部材１６及び円柱体１７が設置される。
【０００８】
レンチ杆１１の後端部には、ハンドル２０が嵌合される。ハンドル２０には、前端部の嵌合孔２２から内方にかけて中空部２１が穿設されている。中空部２１の嵌合孔２２近傍の内壁には、環状溝２３が形成されている。環状溝２３には、プラスチックリング２４が挿設されている。環状溝２３の後端部の中空部２１内壁には、傾斜付溝２５が形成されている。
【０００９】
図１、図３、図４及び図５を参照する。図１、図３、図４及び図５に示すように、本考案の一実施形態に係るレンチ杆体の無段伸縮構造のレンチ杆１１は、ハンドル２０の嵌合孔２２を介して中空部２１内に挿着される。レンチ本体１０を外方へ引っ張って伸ばす際、レンチ杆１１の円柱体１７がハンドル２０の傾斜付溝２５まで移動すると、弾性部材１６により外方へ押圧されて弾性部材１６に係合され、レンチ杆１１とハンドル２０とを最大限引っ張ることができる。レンチ杆１１がハンドル２０の中空部２１内で移動すると、レンチ杆１１の後端部及び中空部２１の前端部の環状溝１３内のプラスチックリングがレンチ杆１１及び中空部２１の内壁縁に強く当接され、摩擦により固定されてレンチ無段伸縮の効果を得ることができる。
【００１０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１１】
１０  レンチ本体
１１  レンチ杆
１２  レンチヘッド
１３  環状溝
１４  プラスチックリング
１５  挿入口
１６  弾性部材
１７  円柱体
２０  ハンドル
２１  中空部
２２  嵌合孔
２３  環状溝
２４  プラスチックリング
２５  傾斜付溝
【図１】
0003188456.tif 000003
【図２】
0003188456.tif 000004
【図３】
0003188456.tif 000005
【図４】
0003188456.tif 000006
【図５】
0003188456.tif 000007